(57)【要約】【課題】  荷電粒子線装置において、２次電子放出量の計測精度と、荷電粒子線画像の安定性とを両立させる。【解決手段】  荷電粒子線装置において、第１のトリガ信号により検出信号の抽出を開始し、第２のトリガ信号により前記検出信号の抽出を終了し、第１のトリガ信号と第２のトリガ信号の間隔時間Ｔを等分割するＮ回（Ｎは自然数）の第３のトリガ信号により検出信号のサンプリングをＮ回行い、間隔時間Ｔを等分割した分割時間ΔＴのそれぞれにおいてサンプリングされた信号を積分して平均化することによって二次荷電粒子を計測し、分割時間ΔＴを、計測された二次荷電粒子の数がエルゴード性が満たされる最小の荷電粒子数より多くなるように制御する。【選択図】  図２
2015056331.tif 000002
【特許請求の範囲】
【請求項１】
一次荷電粒子線を発生する荷電粒子源と、
試料を設置するステージと、
前記一次荷電粒子線の加速電圧を設定する加速電圧設定部と、
前記一次荷電粒子線を前記試料へ集束させる対物レンズと、
前記試料から放出される二次荷電粒子を検出する検出器と、
前記検出器で得られる検出信号を抽出する検出制御部と、
前記検出制御部へトリガ信号を送信するトリガ信号制御部と、を有し、
前記検出制御部は、
前記トリガ信号制御部が生成する第１のトリガ信号により、前記検出信号の抽出を開始する制御と、
前記トリガ信号制御部が生成する第２のトリガ信号により、前記検出信号の抽出を終了する制御と、
前記トリガ信号制御部が生成し、前記第１のトリガ信号と前記第２のトリガ信号の間隔時間Ｔを等分割するＮ回（Ｎは自然数）の第３のトリガ信号により、前記検出信号のサンプリングを前記Ｎ回行う制御と、
前記間隔時間Ｔを等分割した分割時間ΔＴのそれぞれにおいて、前記サンプリングされた信号を積分して平均化することによって、前記二次荷電粒子を計測する制御と、を行い、
前記分割時間ΔＴは、前記分割時間ΔＴに含まれる一次荷電粒子数が、エルゴード性が満たされる最小の荷電粒子数より多くなるように制御されることを特徴とする荷電粒子線装置。
【請求項２】
請求項１において、
前記エルゴード性が満たされる最小の荷電粒子数とは、前記計測において、前記検出信号の時間平均と前記検出信号の集合平均とが等しい値となるか、または、前記等しい値から、前記分割時間ΔＴの範囲内で前記サンプリングした信号数の平方根の範囲にある値となる粒子数であることを特徴とする荷電粒子線装置。
【請求項３】
請求項１または２において、
前記Ｎは、前記間隔時間Ｔの間に前記一次荷電粒子線に含まれる荷電粒子数以上であることを特徴とする荷電粒子線装置。
【請求項４】
請求項１から３のいずれか１つにおいて、
前記一次荷電粒子線を遮断するブランカをさらに有し、
前記ブランカは、前記第１のトリガ信号により前記一次粒子線の遮断を解除し、前記第２のトリガ信号により前記一次粒子線を遮断することを特徴とする荷電粒子線装置。
【請求項５】
請求項１から３のいずれか１つにおいて、
前記一次荷電粒子線に前記試料上を走査させる偏向器をさらに有し、
前記偏向器は、前記第１のトリガ信号により、前記走査を開始することを特徴とする荷電粒子線装置。
【請求項６】
請求項１から３のいずれか１つにおいて、
前記一次荷電粒子線を遮断するブランカと、
前記一次荷電粒子線に前記試料上を走査させる偏向器と、をさらに有し、
前記検出制御部における前記検出信号の抽出の開始と、前記ブランカによる前記一次粒子線の遮断の解除と、前記偏向器による前記走査の開始とは、前記第１のトリガ信号により同期していることを特徴とする荷電粒子線装置。
【請求項７】
請求項１から６のいずれか１つにおいて、
前記一次荷電粒子線は、電子線であることを特徴とする荷電粒子線装置。
【請求項８】
一次荷電粒子線を発生する荷電粒子源と、試料を設置するステージと、前記一次荷電粒子線の加速電圧を設定する加速電圧設定部と、前記一次荷電粒子線を前記試料へ集束させる対物レンズと、前記試料から放出される二次荷電粒子を検出する検出器と、前記検出器で得られる検出信号を抽出する検出制御部と、前記検出制御部へトリガ信号を送信するトリガ信号制御部と、を有する荷電粒子線装置における荷電粒子線の計測方法であって、
前記トリガ信号制御部が生成する第１のトリガ信号により、前記検出信号の抽出を開始するステップと、
前記トリガ信号制御部が生成する第２のトリガ信号により、前記検出信号の抽出を終了するステップと、
前記トリガ信号制御部が生成し、前記第１のトリガ信号と前記第２のトリガ信号の間隔時間Ｔを等分割するＮ回（Ｎは自然数）の第３のトリガ信号により、前記検出信号のサンプリングを前記Ｎ回行うステップと、
前記間隔時間Ｔを等分割した分割時間ΔＴのそれぞれにおいて、前記サンプリングされた信号を積分して平均化することによって、前記二次荷電粒子を計測するステップと、を有し、
前記分割時間ΔＴは、前記計測された前記二次荷電粒子の数が、エルゴード性が満たされる最小の荷電粒子数より多くなるように制御されることを特徴とする荷電粒子線の計測方法。
【請求項９】
請求項８において、
前記エルゴード性が満たされる最小の荷電粒子数とは、前記計測において、前記検出信号の時間平均と前記検出信号の集合平均とが等しい値となるか、または、前記等しい値から、前記分割時間ΔＴの範囲内で前記サンプリングした信号数の平方根の範囲にある値となる粒子数であることを特徴とする荷電粒子線の計測方法。
【請求項１０】
請求項８または９において、
前記Ｎは、前記間隔時間Ｔの間に前記一次荷電粒子線に含まれる荷電粒子数以上であることを特徴とする荷電粒子線の計測方法。
【請求項１１】
請求項８から１０のいずれか１つにおいて、
前記荷電粒子線装置は、一次荷電粒子線を遮断するブランカをさらに有し、
前記第１のトリガ信号により、前記ブランカに前記一次粒子線の遮断を解除させるステップと、
前記第２のトリガ信号により、前記ブランカに前記一次粒子線を遮断させるステップと、をさらに有することを特徴とする荷電粒子線の計測方法。
【請求項１２】
請求項８から１０のいずれか１つにおいて、
前記前記荷電粒子線装置は、一次荷電粒子線に前記試料上を走査させる偏向器をさらに有し、
前記第１のトリガ信号により、前記偏向器に前記走査を開始させるステップをさらに有することを特徴とする荷電粒子線の計測方法。
【請求項１３】
請求項８から１０のいずれか１つにおいて、
前記荷電粒子線装置は、前記一次荷電粒子線を遮断するブランカと、前記一次荷電粒子線に前記試料上を走査させる偏向器と、をさらに有し、
前記第１のトリガ信号により、前記検出信号の抽出の開始と、前記ブランカによる前記一次粒子線の遮断の解除と、前記偏向器による前記走査の開始とを同期して行わせるステップをさらに有することを特徴とする荷電粒子線の計測方法。
【請求項１４】
請求項８から１３のいずれか１つにおいて、
前記一次荷電粒子線は、電子線であることを特徴とする荷電粒子線の計測方法。
【発明の詳細な説明】
【技術分野】
【０００１】
本発明は、荷電粒子線を用いて試料を観察する荷電粒子線装置および荷電粒子線の計測方法に関する。
【背景技術】
【０００２】
試料の拡大観察可能な顕微鏡として、電子やイオン等の荷電粒子線を用いた荷電粒子顕微鏡がある。特に、試料上で電子線を走査して撮像する走査型電子顕微鏡（以下ＳＥＭと略す）は、微細な表面形状の観察や局所的な組成分析などの試料解析に利用されている。ＳＥＭとは、電子源に印加された電圧によって加速された電子線を試料に照射し、その集束電子線（１次電子）を偏向器により試料上で走査することで、試料解析を行う顕微鏡である。
【０００３】
ここで特に、対象が絶縁体である場合、電子線照射によって試料が帯電し、画像のドリフトやシェーディングといった像障害となることがある。よって、安定かつ再現性の高い試料観察を行うためには、電子線照射による帯電の制御技術が必須となる。
【０００４】
また、ＳＥＭは、積層構造を持つ試料を観察する目的でも期待されている。試料の帯電電荷の量は、試料の容量や抵抗などの電気特性に依存し、さらには、積層構造において埋もれた構造や積層構造の界面を反映するものでもあるため、試料の帯電による電位コントラストを抽出することで、上記埋もれた構造や積層構造の界面の観察が可能となる。
【０００５】
係る技術に関連し、特許文献１には、埋もれた構造を反映する画像は、２次電子信号に差が生じる特定の時間領域に現れることに着目し、断続的に電子線を照射して試料を帯電させ、必要な試料情報を反映した２次電子信号を検出時間により選択する技術が記載されている。検出時間の例としては、パルス幅０．５ｍｓのパルス照射電子に対し０．２ｍｓを検出時間とする実施例や、パルス幅０．０５ｍｓのパルスに同期して０．０５ｍｓを検出時間とする実施例等が記載されている。
【先行技術文献】
【特許文献】
【０００６】
【特許文献１】特開２０１２−２５２９１３号公報
【発明の概要】
【発明が解決しようとする課題】
【０００７】
特許文献１では、検出の時間幅により、積層構造に起因する２次電子信号を切り出すため、時間幅の制御は、より高精度な検出のために重要である。特に、より時間幅を短くすることができれば、より微細な積層構造に対応した２次電子信号を切り出すことが可能となり、より有意な情報を得ることが可能となる。
【０００８】
また、電子線の照射中において試料の帯電は随時進行しているため、検出の時間幅を短くすることができれば、画像のドリフトやシェーディングといった像障害を低減する点でも有利である。この点は、積層構造の観察をする場合にもしない場合にも当てはまる。
【０００９】
しかしながら本願発明者らは、当該時間幅を無制限に短くできるわけではない点を見出した。その詳細は実施例において説明するが、当該時間幅を短くすると、ある時間幅から、検出信号の平均値がきわめて不安定であり、測定ごとに大きくばらつくようになる。従って、係る条件を考慮した上で、当該時間幅を制御する必要がある。
【００１０】
以上を踏まえ、本発明の目的は、荷電粒子線装置または荷電粒子線の計測方法において、検出信号の安定性を担保しつつ、より高精度な検出を可能とすることにある。
【課題を解決するための手段】
【００１１】
本願発明による課題を解決する手段のうち代表的なものを例示すれば、一次荷電粒子線を発生する荷電粒子源と、試料を設置するステージと、一次荷電粒子線の加速電圧を設定する加速電圧設定部と、一次荷電粒子線を前記試料へ集束させる対物レンズと、試料から放出される二次荷電粒子を検出する検出器と、検出器で得られる検出信号を抽出する検出制御部と、検出制御部へトリガ信号を送信するトリガ信号制御部と、を有する荷電粒子線装置であって、検出制御部は、トリガ信号制御部が生成する第１のトリガ信号により、検出信号の抽出を開始する制御と、トリガ信号制御部が生成する第２のトリガ信号により、検出信号の抽出を終了する制御と、トリガ信号制御部が生成し、第１のトリガ信号と第２のトリガ信号の間隔時間Ｔを等分割するＮ回（Ｎは自然数）の第３のトリガ信号により、検出信号のサンプリングをＮ回行う制御と、間隔時間Ｔを等分割した分割時間ΔＴのそれぞれにおいて、サンプリングされた信号を積分して平均化することによって、二次荷電粒子を計測する制御と、を行い、分割時間ΔＴは、分割時間ΔＴに含まれる一次荷電粒子数が、エルゴード性が満たされる最小の荷電粒子数より多くなるように制御されることを特徴とする。
【００１２】
または、一次荷電粒子線を発生する荷電粒子源と、試料を設置するステージと、一次荷電粒子線の加速電圧を設定する加速電圧設定部と、一次荷電粒子線を試料へ集束させる対物レンズと、試料から放出される二次荷電粒子を検出する検出器と、検出器で得られる検出信号を抽出する検出制御部と、検出制御部へトリガ信号を送信するトリガ信号制御部と、を有する荷電粒子線装置における荷電粒子線の計測方法であって、トリガ信号制御部が生成する第１のトリガ信号により、検出信号の抽出を開始するステップと、トリガ信号制御部が生成する第２のトリガ信号により、検出信号の抽出を終了するステップと、トリガ信号制御部が生成し、第１のトリガ信号と第２のトリガ信号の間隔時間Ｔを等分割するＮ回（Ｎは自然数）の第３のトリガ信号により、検出信号のサンプリングをＮ回行うステップと、間隔時間Ｔを等分割した分割時間ΔＴのそれぞれにおいて、サンプリングされた信号を積分して平均化することによって、二次荷電粒子を計測するステップと、を有し、分割時間ΔＴは、計測された二次荷電粒子の数が、エルゴード性が満たされる最小の荷電粒子数より多くなるように制御されることを特徴とする。
【発明の効果】
【００１３】
本願発明によれば、荷電粒子線装置または荷電粒子線の計測方法において、検出信号の安定性を担保しつつ、より高精度な検出が可能となる。
【図面の簡単な説明】
【００１４】
【図１】実施例１に係る荷電粒子線装置の一例を示す構成図。
【図２】本発明に係る荷電粒子線装置の制御方法を示す図。
【図３Ａ】検出電子数と検出信号の関係を示す図。
【図３Ｂ】検出電子数と検出信号の関係を示す図。
【図４】実施例１に係る荷電粒子線装置のＧＵＩの一例を示す図。
【図５】実施例１に係る荷電粒子線装置による計測の一例を示すフローチャート。
【図６】実施例１に係る荷電粒子線装置による計測の一例を示すフローチャート。
【図７】実施例１に係る計測結果の一例を示す図。
【図８】実施例２に係る荷電粒子線装置の一例を示す構成図。
【図９】実施例２に係る荷電粒子線装置による計測の一例を示すフローチャート。
【図１０】試料の構造の一例を示す断面図。
【図１１】実施例２に係る計測結果の一例を示す図。
【図１２】実施例２に係る計測結果の画像の一例を示す図。
【図１３】実施例３に係る荷電粒子線装置のＧＵＩの一例を示す図。
【図１４】実施例３に係る荷電粒子線装置による計測の一例を示すフローチャート。
【図１５】実施例４に係る計測結果の一例を示す図。
【図１６】実施例５に係る荷電粒子線装置の一例を示す構成図。
【図１７】実施例５に係る荷電粒子線装置のＧＵＩの一例を示す図。
【発明を実施するための形態】
【００１５】
以下、本発明の実施の形態を、図面を用いて説明する。
【実施例１】
【００１６】
本実施例では、荷電粒子線装置のうち走査電子顕微鏡を例に、時間基準を設けた２次電子放出量の計測装置と方法について述べる。本実施例に係る走査電子顕微鏡の構成例を図１に示す。走査電子顕微鏡は、電子光学系と、ステージ機構系と、ＳＥＭ制御系と、トリガ信号制御系、信号処理系と、ＳＥＭ操作系と、電子照射制御系と、を有する。
【００１７】
電子光学系は、電子銃１と、偏向器２と、対物レンズ３と、検出器４とを備える。ステージ機構系は、試料５を設置する試料ホルダ６と、傾斜制御可能で且つＸＹＺ軸方向に移動可能なステージ７とを備える。ＳＥＭ制御系は、電子銃の加速電圧制御部８と、１次電子の電流制御部９と、偏向走査信号制御部１０と、対物レンズコイル制御部１１と、ステージ制御部１２とを備える。トリガ信号制御系は、第１のトリガ信号制御部１３、第２のトリガ信号制御部１４と、第３のトリガ信号制御部１５とを備える。信号処理系は、検出制御部１６と、信号処理部１７と、信号電圧変換部１８とを備える。操作系は、計測結果表示部１９と、操作インターフェース２０とを備える。電子線照射制御系は、電子線を遮断するブランカ２８と、ブランカ制御部２９とを備える。
【００１８】
本発明では、２次電子放出量を安定させ、帯電を制御した電位コントラストを形成するため、時間の基準信号となる複数のトリガ信号を発生させ、電子線照射制御系や２次電子の検出制御系をトリガ信号に同期させることで、２次電子放出量計測に必要な、電子線の照射、検出、走査を制御する。
【００１９】
図２に、本実施例に係る走査電子顕微鏡の制御法を示す。まず、トリガ信号制御部１３および１４は、２次電子検出の時間基準となる第１のトリガ信号と第２のトリガ信号を、検出制御部に送信する。ここで、第１のトリガ信号と第２のトリガ信号の間隔を間隔時間Ｔとする。このとき、前記第１のトリガ信号と前記第２のトリガ信号の間に含まれる照射電子数Ｎeは（１）式となる
Ｎe＝Ｔ×Ｉｐ／e      …（１）
ここで、Ｉｐは１次荷電粒子の電流、eは素電荷である。
【００２０】
さらに、トリガ信号制御部１５は、間隔時間Ｔを等分割する第３のトリガ信号を、検出制御部１６に送信する。ここで、間隔時間Ｔに含まれる第３のトリガ信号の発生数をＮとする。ここで、発生数Ｎを間隔時間Ｔに含まれる照射電子数Ｎｅ以上とすれば、第３のトリガ信号で、検出信号を取りこぼすことなく抽出することができる。
【００２１】
そして、検出制御部１６は、前記第１のトリガ信号でゲートを開いてサンプリングを開始し、前記第３のトリガ信号に同期して前記検出器からの検出信号をＮ回サンプリングし、前記第２のトリガ信号でサンプリングを終了する。サンプリング終了後は、第３のトリガ信号に基づきサンプリングした検出信号を分割時間ΔＴの範囲で積分して、得られる積分値を算出する。さらに、積分値を分割時間ΔＴで平均化し、２次電子放出量を計測する。
【００２２】
ここで、図３Ａに、本願発明に先駆けて本願発明者らが測定した、検出電子数と検出信号との関係を示し、図３Ｂに検出電子数と検出信号の平均値との関係をを示す。図３Ｂには、検出信号を任意の時間幅で平均化した場合の時間平均と、検出信号を任意のタイミングで複数回検出して平均化した場合の集合平均とで解析した結果を示した。図３Ｂからわかるように、時間平均および集合平均ともに検出電子数が所定の数（最小検出電子数）より少ない場合は、検出信号の平均値は不安定であり、測定ごとに大きくばらつく。これは、電子数が少ない条件下では、電子が量子的振る舞いをするためである。このような不安定な条件下では、得られた信号が、試料の構造に基づくものか、電子が量子的振る舞いをしたことに基づくものか区別できない。係る量子的振る舞いが収まり、一定の値に収束する条件は、エルゴード性と呼ばれ、時間平均値と、集合平均値とが等しい値となる状態を示す。ただし、等しい値から、分割時間ΔＴの範囲内でサンプリングした信号数の平方根の範囲にある値までを、ばらつきの範囲として許容するものとする。試料構造に起因した信号が得られる最も短い時間幅は、エルゴード性が満たされる最少の検出電子数より決定できる。
【００２３】
すなわち、本実施例に係る走査電子顕微鏡を、間隔時間Ｔを等分割するＮ回（Ｎは自然数）の第３のトリガ信号によりサンプリングをＮ回行い、間隔時間Ｔを等分割した分割時間ΔＴのそれぞれにおいてサンプリングした信号を積分して平均化することによって、二次電子を計測する制御を行ものとしたとき、分割時間ΔＴに含まれる一次電子数（Ｎｅ×ΔＴ／Ｔ）がエルゴード性が満たされる最小の電子数より多くなるように、分割時間ΔＴを制御すれば良い。
【００２４】
このように分割時間ΔＴを決定すれば、よりより微細な構造に対応した２次電子信号を切り出すことを可能としつつ、電子の量子的振る舞いによることを防止できる。ここで、エルゴード性を満たす最少検出電子数は、装置や電子線の照射条件によって異なるため、照射制御系、検出制御系により、当該照射条件を踏まえた検出電子数の制御が必要である。
【００２５】
図４に、２次電子放出量計測のＧＵＩ２１を示す。ＧＵＩ２１は、操作インターフェース２０と計測結果表示部１９を備えており、加速電圧設定部２２と、１次電子の電流設定部２３と、試料ホルダへの印加電圧設定部２４と、間隔時間Ｔを入力する間隔時間設定部２５と、発生数Ｎを入力する発生数設定部２６と、分割時間ΔＴを入力する分割時間設定部２７と、２次電子放出率の測定結果表示部２８と、２次電子放出量の測定結果表示部１９とを有する。
【００２６】
図５に、走査電子顕微鏡を用いた２次電位放出量の計測フローを示す。本フローではまず、加速電圧設定部２２による加速電圧Ｖａと（ステップＳ１００）、１次電子の電流設定部２３による１次電子の電流Ｉｐと（ステップＳ１０１）、試料ホルダへの印加電圧設定部２４による試料ホルダへの印加電圧Ｖｒを設定する（ステップＳ１０２）。図５では、Ｖａ＝３０００Ｖ、Ｉｐ＝２０ｐＡ、Ｖｒ＝−２５００Ｖとした。さらに、間隔時間設定部２５による間隔時間Ｔと（ステップＳ１０３）、発生数設定部２６による発生数Ｎと（ステップＳ１０４）、分割時間設定部２７による分割時間ΔＴを設定する（ステップＳ１０５）。ここで、第３のトリガ信号で、検出信号を取りこぼすことなく、抽出するためには、発生数Ｎが、間隔時間Ｔに含まれる照射電子数Ｎｅ以上であることが望ましい。照射電子数Ｎｅは前記（１）式より算出できる。本実施例では、発生数Ｎをユーザが入力する方式を採用したが、（１）式を用いた自動設定でも構わない。図５では、Ｔ＝９．６μｓ、Ｎ＝９６０、ΔＴ＝０．６４μｓとした。ここで上述の通り、分割時間ΔＴは、２次電子放出量の時間変化を計測するための計測時間単位であるため、検出信号の集合平均と同じ平均値となるエルゴード性が満たされる時間幅以上に設定する必要がある。本実施例に用いた走査電子顕微鏡においては、エルゴード性が満たされる時間幅は実験値０．２０μｓ以上であったため、本分割時間ΔＴの設定値は、信号の平均処理においてエルゴード性を満たしている。前記加速電圧Ｖａと１次電子の電流Ｉｐで電子銃１から放出した電子線は、対物レンズ３で集束され、試料ホルダへの印加電圧Ｖｒで減衰し、試料５に照射される。ここで、試料への照射エネルギはＶａとＶｒの絶対値の差に基づいて算出され、図５では５００ｅＶである。また、偏向器２により、電子線の試料５上における照射位置を制御する。さらに、電子線照射により試料５から放出された２次電子を検出器４で検出する。検出制御部１６は、検出器４で得られるアナログの検出信号から、検出信号を抽出する。ここで、検出信号の抽出を開始するタイミングは、第１のトリガ信号制御部１３から受信した第１のトリガ信号で制御する（ステップＳ１０６）。検出信号は、第３のトリガ信号制御部１５から受信した第３のトリガ信号に基づいて、Ｎ回サンプリングする（ステップＳ１０７）。さらに、検出信号の抽出は、第２のトリガ信号制御部１４から受信した第２のトリガ信号で終了する（ステップＳ１０８）。次に、検出制御部１６によって抽出した２次電子の電圧信号を、信号処理部１７で積分する。まず、２次電子放出量を計測する場合について述べる。間隔時間Ｔの範囲で２次電子の電圧信号を積分し、積分値を算出する（ステップＳ１０９）。次に、積分値と間隔時間Ｔにより、平均値を算出する（ステップＳ１１０）。さらに、平均値を電流に変換し（ステップＳ１１１）、２次電子放出量を計測する（ステップＳ１１２）。次に、２次電子放出量の時間変化を計測する場合について述べる。検出制御部１６によって抽出した２次電子の電圧信号を、分割時間ΔＴの範囲で積分し、積分値を算出する（ステップＳ１１３）。積分値は、間隔時間Ｔを分割時間ΔＴで割った数だけ、算出される。本実施例では、１５個の積分値が得られる。次に、積分値と分割時間ΔＴにより、平均値を算出し（ステップＳ１１４）、平均値の電流変換により（ステップＳ１１５）、２次電子放出量を算出することで、時間変化が計測でき（ステップＳ１１６）、フローが終了となる（ステップＳ１１７）。
【００２７】
図４の２次電子放出率の測定結果表示部２８に、シリコンの２次電子放出量と２次電子放出量の時間変化の計測結果を示す。図４から、エルゴード性を満たす分割時間０．６４μｓの時間分解能で、２次電子放出率の時間変化が計測できることが判る。このように、本実施例によれば、時間基準を定めた検出制御ができるため、より時間幅を短くしてより高精度な検出を可能とした２次電子放出量の時間変化が解析できる。
【００２８】
次に図６を用いて、時間基準を定めて電子線照射と検出制御した２次電位放出量の計測フローを示す。加速電圧設定部２２による加速電圧Ｖａと（ステップＳ１００）、１次電子の電流設定部２３による１次電子の電流Ｉｐと（ステップＳ１０１）、試料ホルダへの印加電圧設定部２４による試料ホルダへの印加電圧Ｖｒを設定する（ステップＳ１０２）。図６では、Ｖａ＝１００００Ｖ、Ｉｐ＝１０ｐＡ、Ｖｒ＝−９７００Ｖとした。さらに、間隔時間設定部２５による間隔時間Ｔと（ステップＳ１０３）、発生数設定部２６による発生数Ｎと（ステップＳ１０４）、分割時間設定部２７による分割時間ΔＴを設定する（ステップＳ１０５）。図６では、Ｔ＝６４μｓ、Ｎ＝６４００、ΔＴ＝０．６４μｓとした。本実施例に用いた走査電子顕微鏡において、エルゴード性が満たされる時間幅は実験値０．４０μｓ以上であり、本分割時間ΔＴの設定値は、信号の平均処理においてエルゴード性を満たしている。前記加速電圧Ｖａと１次電子の電流Ｉｐで電子銃１から放出した電子線は、対物レンズ３で集束され、試料ホルダへの印加電圧Ｖｒで減衰し、試料５に照射される。ここで、電子銃１直下に設置したブランカ２８により、電子線が遮断できる。電子線の照射と遮断は、ブランカ制御部２９より発生させるブランカ電圧により制御する。図６では、第１のトリガ信号から第２のトリガ信号の間のみ電子線が照射されるようにブランカ２８を制御することによって、電子線が時間幅Ｔのパルスとなる。
【００２９】
電子線を照射するタイミングは、第１のトリガ信号制御部１３から受信した第１のトリガ信号で制御する（ステップＳ１１８）。この際、電子線照射により試料５から放出した２次電子を検出器４で検出する。検出制御部１６により、検出器４で得られたアナログの検出信号から、検出信号を抽出する。ここで、検出信号の抽出を開始するタイミングは、第１のトリガ信号制御部１３から受信した第１のトリガ信号で制御する（ステップＳ１０６）。
【００３０】
つまり、電子線を照射するタイミングと検出信号の抽出を開始するタイミングは、ともに第１のトリガ信号で制御するため、電子線を照射するタイミングと検出信号の抽出を開始するタイミングは同期がとれる。検出信号は、第３のトリガ信号制御部１５から受信した第３のトリガ信号で、発生数Ｎ回、サンプリングする（ステップＳ１０７）。さらに、検出信号の抽出は、第２のトリガ信号制御部１４から受信した第２のトリガ信号で終了する（ステップＳ１０８）と同時に、第２のトリガ信号で、電子線を遮断する（ステップＳ１１９）。つまり、検出信号の抽出終了とともに電子線が遮断されるため、検出時以外の過剰な照射を抑制できる。図６では２次電子放出量の時間変化を計測する。２次電子放出量の時間変化を計測するフローは、図５に示した、ステップＳ１１３からステップＳ１１６のフローと同様である。
【００３１】
図７に、図６のフローにおける計測結果である、ＳｉＯ２の２次電子放出量の時間変化を示す。絶縁体であるＳｉＯ２の２次電子放出量の時間変化が、時間分解能０．６４μｓで計測できることが判る。また、ＳｉＯ２の２次電子放出量の２次電子放出量は、電子線照射の帯電によって減少し、１次電子の電流２０ｐＡと釣り合った状態で定常となっていることが判る。このように、本実施例によれば、時間基準を定めた照射と検出の制御ができるため、より時間幅を短くしてより高精度な検出を可能とした、絶縁体の２次電子放出量の時間変化が解析できる。
【００３２】
以上を踏まえ、本実施例に係る荷電粒子線装置は、一次荷電粒子線を発生する荷電粒子源（電子銃１）と、試料を設置するステージ（７）と、一次荷電粒子線の加速電圧を設定する加速電圧設定部（２２）と、一次荷電粒子線を試料へ集束させる対物レンズ（４）と、試料から放出される二次荷電粒子を検出する検出器（４）と、検出器で得られる検出信号を抽出する検出制御部（１６）と、検出制御部へトリガ信号を送信するトリガ信号制御部（１３〜１５）と、を有する。検出制御部は、トリガ信号制御部が生成する第１のトリガ信号により、検出信号の抽出を開始する制御と、トリガ信号制御部が生成する第２のトリガ信号により、検出信号の抽出を終了する制御と、トリガ信号制御部が生成し、第１のトリガ信号と第２のトリガ信号の間隔時間Ｔを等分割するＮ回（Ｎは自然数）の第３のトリガ信号により、検出信号のサンプリングをＮ回行う制御と、間隔時間Ｔを等分割した分割時間ΔＴのそれぞれにおいて、サンプリングされた信号を積分して平均化することによって、二次荷電粒子を計測する制御と、を行う。そして、分割時間ΔＴは、分割時間ΔＴに含まれる一次荷電粒子数が、エルゴード性が満たされる最小の荷電粒子数より多くなるように制御される。
【００３３】
係る特徴により、検出信号の不安定な振る舞いや測定ごとのばらつきの影響を低減しつつ、より時間幅を短くしてより高精度な検出をすることができる。
【００３４】
ここで、エルゴード性が満たされる最小の荷電粒子数とは、計測において、検出信号の時間平均と検出信号の集合平均とが等しい値となるか、または、等しい値から、分割時間ΔＴの範囲内でサンプリングした信号数の平方根の範囲にある値となる粒子数であればよい。
【００３５】
また、発生数Ｎを間隔時間Ｔの間に一次荷電粒子線に含まれる荷電粒子数以上とすれば、第３のトリガ信号で、検出信号を取りこぼすことなく抽出することができる。
【実施例２】
【００３６】
本実施例では、時間基準を定めて、荷電粒子線の照射と２次電子の検出を制御した画像形成装置と方法について述べる。本実施例における走査電子顕微鏡の構成例を図８に示す。図８の走査電子顕微鏡は、図１の構成に加えて、画像制御系と操作系をさらに備える。画像制御系は、画像形成部３０を備え、操作系は、画像表示部３１と、操作インターフェース２０とを備える。
【００３７】
観察条件の設定は、図６のステップＳ１００、ステップＳ１０１、ステップＳ１０２と同様に、加速電圧Ｖａと１次電子の電流Ｉｐと試料ホルダへの印加電圧Ｖｒを設定する。本実施例では、Ｖａ＝５０００Ｖ、Ｉｐ＝１０ｐＡ、Ｖｒ＝−４７００Ｖとした。さらに、図６のステップＳ１０３、ステップＳ１０４、ステップＳ１０５と同様に、間隔時間Ｔと、発生数Ｎと、分割時間ΔＴを設定する。
【００３８】
図９に、前記観察条件の設定値に基づき、照射系、検出系、偏向系を制御して画像を形成するフローを示す。図９では、Ｔ＝３２μｓ、Ｎ＝３２００、ΔＴ＝０．６４μｓとした。本実施例に用いた走査電子顕微鏡において、エルゴード性が満たされる時間幅は実験値０．４０μｓ以上であり、本ΔＴの設定値は信号の平均処理においてエルゴード性を満たしている。前記加速電圧Ｖａと１次電子の電流Ｉｐで電子銃１から放出した電子線は、対物レンズ３で集束され、試料ホルダへの印加電圧Ｖｒで減衰し、試料５に照射される。偏向器２により、電子線は試料５上を２次元走査する。また、電子銃１直下に設置した、前記ブランカ２８により、電子線が遮断できる。電子線の照射と遮断は、ブランカ制御部２９より発生させるブランカ電圧により制御する。電子線を偏向するタイミングは、第１のトリガ信号制御部１３から受信した第１のトリガ信号で制御する（ステップＳ１２０）。電子線を照射するタイミングは、第１のトリガ信号制御部１３から受信した第１のトリガ信号で制御する（ステップＳ１１８）。この際、電子線照射により試料５から放出した２次電子を検出器４で検出する。検出制御部１６により、検出器４で得られたアナログの検出信号から、検出信号を抽出する。ここで、検出信号の抽出を開始するタイミングは、第１のトリガ信号制御部１３から受信した第１のトリガ信号で制御する（ステップＳ１０６）。つまり、電子線を偏向するタイミングと、電子線を照射するタイミングと、検出信号の抽出を開始するタイミングは、ともに第１のトリガ信号で制御し、同期させる。検出信号は、第３のトリガ信号制御部１５から受信した第３のトリガ信号で、発生数Ｎ回、サンプリングする（ステップＳ１０７）。さらに、検出信号の抽出は、第２のトリガ信号制御部１４から受信した第２のトリガ信号で終了する（ステップＳ１０８）と同時に、第２のトリガ信号で、電子線を遮断し（ステップＳ１１９）、電子線の偏向を停止する。抽出した２次電子の電圧信号から、２次電子放出量の時間変化を計測する。２次電子放出量の時間変化を計測するフローは、図５に示した、ステップＳ１１３からステップＳ１１６のフローを用いた。次に、２次電子放出量の時間変化から１つもしくは複数の時間での２次電子放出量を選択する（Ｓ１２２）。ここで計測した２次電子放出量は１画素の信号に相当する。所望の画像サイズとなるまで、偏向制御（Ｓ１２０、Ｓ１２１）、照射制御（Ｓ１１８、Ｓ１１９）、検出制御（Ｓ１０６からＳ１０８）、２次電子放出量計測（Ｓ１１３からＳ１１６）を繰り返し、偏向しながら時間ごとの２次電子放出量を計測する（Ｓ１２３）。偏向を制御する信号の電圧値と２次電子から画像を形成し（Ｓ１２４）、終了となる（Ｓ１１７）。
【００３９】
図１０に、本実施例の試料構造の断面図を示す。図１０の試料は、絶縁膜３２に下層パターン３３が埋め込まれた構造になっている。図１１に、下層パターンのある領域（下層あり）とない領域（下層なし）で計測した２次電子放出量の時間変化を示す。図１１から、下層パターンある領域（下層あり）とない領域（下層なし）の２次電子放出量の差が、１０μｓ付近で大きくなり、その後再び小さくなることが判る。これは、帯電による２次電子の放出量の時間変化が、積層構造によって異なることに起因する。図１２に、選択した時間ごとのＳＥＭ画像を示す。選択した時間は、１．２８μｓ（図１１のａ）、２．５６μｓ（図１１のｂ）、１０．２４μｓ（図１１のｃ）、２０．４８μs（図１１のｄ）である。各画像のコントラスト値を解析した。コントラストは、（２）式で解析した。
コントラスト＝（Ｓ１‐Ｓ２）/（σ１＋σ２）/２      …（２）
ここで、Ｓ１およびσ１はそれぞれ、下層なし領域の画像明度と標準偏差、Ｓ２およびσ２はそれぞれ、下層あり領域の画像明度と標準偏差である。１．２８μｓのＳＥＭ画像３４と、２．５６μｓのＳＥＭ画像３５と、１０．２４μｓのＳＥＭ画像３６と、２０．４８μｓのＳＥＭ画像３７のコントラスト値はそれぞれ、０．１、１．０、２．３、１．７であり、１０．２４μｓのＳＥＭ画像３６が最も下層パターンのコントラストが高く、下層パターンに対する感度が高い条件である。一方、１．２８μｓのＳＥＭ画像３４が最も下層パターンのコントラストが低く、表面の形状に対する感度が高い条件である。このように、本実施例によれば、時間基準を定めた照射、検出、偏向の検出制御により、電子線の照射帯電を制御した荷電粒子線画像が形成できる。
【実施例３】
【００４０】
本実施例では、２次電子放出量による表面電位の計測装置と方法について述べる。本実施例では、荷電粒子線装置のうち走査電子顕微鏡を例に、実施の形態を述べる。本実施例における走査電子顕微鏡は、図１と同様の構成を用いた。
【００４１】
図１３に表面計測のＧＵＩ３８を示す。ＧＵＩ３８には、操作インターフェース２０と計測結果表示部１９が具備されている。加速電圧設定部２２、１次電子の電流設定部２３、試料ホルダへの印加電圧設定部２４、第１のトリガ信号と第２のトリガ信号間の間隔時間Ｔを入力する間隔時間設定部２５、第３のトリガ信号の発生数Ｎの発生数設定部２６、間隔時間を等分割する分割時間設定部２７、２次電子放出量の測定結果表示部３９と表面電位計測結果４０が備わっている。図１４に表面電位計測のフローを示す。前記加速電圧と試料ホルダへの印加電圧の差から第１の照射エネルギＥrを算出する（ステップＳ１２５）。本実施例では加速電圧Ｖａ＝３０００Ｖ、試料ホルダへの印加電圧Ｖｒ＝２２００Ｖであり、第１の照射エネルギＥｒは８００Ｖである。本実施例の表面電位計測では、２次電子放出率（２次電子放出量を１次電子の電流で割った値）の照射エネルギ依存性（イールドカーブと呼ぶ）を用いる。図１３の測結果表示部１９に示したイールドカーブから判るように、照射エネルギ３００ｅＶ付近で、２次電子放出率が最大となり、照射エネルギ３０００ｅＶ付近で１となる。２次電子放出率が１となる照射エネルギ（Ｅ２）は１次電子が試料に与える帯電の影響を抑えることができる反面、２次電子放出率の照射エネルギ依存性が低く、電位計測には不向きである。一方、照射エネルギ３００ｅＶから、照射エネルギ３０００ｅＶまでの領域は、２次電子放出率の照射エネルギ依存性が高く、電位計測に適しているものの、１次電子による帯電の影響は避けられない。よって、電位計測には時間基準を設けた照射、検出の制御が重要となる。そこで、図６のフローにより、２次電子放出量を計測する（ステップＳ１２６）。本実施例の設定条件は、加速電圧Ｖａ＝３０００Ｖ、１次電子の電流Ｉｐ＝２０ｐＡ、試料ホルダへの印加電圧Ｖｒ＝２２００Ｖとし、間隔時間Ｔ＝１．２８μｓ、発生数Ｎ＝１２８、分割時間ΔＴ＝０．６４μｓとした。
【００４２】
図１３の２次電子放出量の測定結果表示部３９に、参照部で取得したイールドカーブを示した。次に、計測した２次電子放出量から、イールドカーブ上の照射エネルギを抽出し、第２の照射エネルギＥｍを解析する。表面電位は、第１の照射エネルギＥｒと第２の照射エネルギＥｍとの差である。このように、本実施例によれば、絶縁体の２次電子放出量計測により、高い電位分解能で表面電位が計測できる。
【実施例４】
【００４３】
本実施例では、２次電子放出量による表面電位の計測装置と方法について述べる。本実施例では、荷電粒子線装置のうち走査電子顕微鏡を例に、実施の形態を述べる。本実施例における走査電子顕微鏡は、図１と同様の構成を用いた。本実施例では、図１４の表面電位計測のフローを用いた。本実施例では、電子線が試料に照射されずに反射するミラー電子となる照射エネルギから１００ｅＶ程度までの超低照射エネルギ領域を用いる。導体試料で、電子線が試料に照射されずに反射するミラー電子が検出できる加速電圧Ｖａと試料ホルダへの印加電圧Ｖｒを設定する。本実施例では、Ｖａ＝３０００Ｖとし、試料ホルダへの印加電圧Ｖｒ＝-３００５Ｖとし、２次電子放出量を計測する。徐々に電子線が試料に照射されるように加速電圧Ｖａと試料ホルダへの印加電圧Ｖｒを設定しながら、２次電子放出量を計測する。本実施例では５ＶピッチでＶｒを変化させながら取得した。加速電圧Ｖａと試料ホルダへの印加電圧Ｖｒの差から算出した超低照射エネルギ領域のイールドカーブを図１５に示す。２次電子放出量が一定の閾値Ｔｈを越えた時の照射エネルギを、第１の照射エネルギＥｒとする。次に帯電した試料で計測した、イールドカーブから、第２の照射エネルギＥｍを解析する。表面電位は、第１の照射エネルギＥｒと第２の照射エネルギＥｍから表面電位が計測である。このように、本実施例によれば、絶縁体の２次電子放出量計測により、高い電位分解能で表面電位が計測できる。
【実施例５】
【００４４】
本実施例では、２次電子放出量による表面電位分布の計測装置と方法について述べる。本実施例では、荷電粒子線装置のうち走査電子顕微鏡を例に、実施の形態を述べる。本実施例における走査電子顕微鏡を、図１６に示す。
【００４５】
本実施例に係る走査電子顕微鏡は、画像制御系画像制御系が、２次電子放出量による画像形成部３０に加えて、２次電子放出量による画像から表面電位分布への変換部４１をさらに備える。
【００４６】
図１８に表面電位分布計測のＧＵＩ４２を示す。ＧＵＩ４２には、操作インターフェース２０と画像表示部３１が具備されている。加速電圧設定部２２、１次電子の電流設定部２３、試料ホルダへの印加電圧設定部２４、第１のトリガ信号と第２のトリガ信号間の間隔時間Ｔを入力する間隔時間設定部２５、第３のトリガ信号の発生数Ｎの発生数設定部２６、間隔時間を等分割する分割時間設定部２７、画像表示部３１が備わっている。実施例４の図１５と同様の表面電位計測フローにより、２次電子放出量から表面電位を計測した。本実施例の設定条件は、加速電圧Ｖａ＝３０００Ｖ、１次電子の電流Ｉｐ＝２０ｐＡ、試料ホルダへの印加電圧Ｖｒ＝２７００Ｖとし、間隔時間Ｔ＝０．６４μｓ、発生数Ｎ＝６４、分割時間ΔＴ＝０．６４μｓとした。
【００４７】
図１７の画像表示部３１中に、絶縁膜に電界ストレスを印加した試料の表面電位分布の計測結果を示す。本実施例によれば、２次電子放出量による２次元画像から表面電位分布が計測できる。
【符号の説明】
【００４８】
１：電子銃、２：偏向器、３：対物レンズ、４：検出器、５：試料、６：試料ホルダ、７：ステージ、８：加速電圧制御部、９：１次電子の電流制御部、１０：偏向走査信号制御部、１１：対物レンズコイル制御部、１２：ステージ制御部、１３：第１のトリガ信号制御部、１４：第２のトリガ信号制御部、１５：第３のトリガ信号制御部、１６：検出制御部、１７：信号処理部、１８：信号電圧変換部、１９：計測結果表示部、２０：操作インターフェース、２１：ＧＵＩ、２２：加速電圧設定部、２３：１次電子の電流設定部、２４：試料ホルダへの印加電圧設定部、２５：間隔時間設定部、２６：発生数設定部、２７：分割時間設定部、２８：ブランカ、２９：ブランカ制御部、３０：画像形成部、３１：画像表示部、３２：絶縁膜、３３：下層パターン、３４：ＳＥＭ画像、３５：ＳＥＭ画像、３６：ＳＥＭ画像、３７：ＳＥＭ画像、３８：ＧＵＩ、３９：測定結果表示部、４０：表面電位計測結果表示部、４１：表面電位分布への変換部、４２：ＧＵＩ。
【図１】
2015056331.tif 000003
【図２】
2015056331.tif 000004
【図３Ａ】
2015056331.tif 000005
【図３Ｂ】
2015056331.tif 000006
【図４】
2015056331.tif 000007
【図５】
2015056331.tif 000008
【図６】
2015056331.tif 000009
【図７】
2015056331.tif 000010
【図８】
2015056331.tif 000011
【図９】
2015056331.tif 000012
【図１０】
2015056331.tif 000013
【図１１】
2015056331.tif 000014
【図１２】
2015056331.tif 000015
【図１３】
2015056331.tif 000016
【図１４】
2015056331.tif 000017
【図１５】
2015056331.tif 000018
【図１６】
2015056331.tif 000019
【図１７】
2015056331.tif 000020